(57)【要約】【課題】発光管の黒化を抑制できる光源装置を提供する。【解決手段】光源装置１００は、放電媒質が封入された放電空間１４を有する発光管１２、第１電極１６、および第２電極１８、を有する放電灯１０と、第１電極１６および第２電極１８に交流電流を供給し、放電灯１０を駆動する放電灯駆動部２０と、放電空間１４に超音波Ｗを照射する超音波発生部３０と、を含み、超音波Ｗの周波数は、第１電極１６および第２電極１８を構成する電極材料、電極材料の酸化物、および放電媒質の少なくとも１つを揺動させる周波数である。【選択図】図１
2012221724.tif 000002
【特許請求の範囲】
【請求項１】
放電媒質が封入された放電空間を有する発光管、第１電極、および第２電極を有する放電灯と、
前記第１電極および前記第２電極に交流電流を供給し、前記放電灯を駆動する放電灯駆動部と、
前記放電空間に超音波を照射する超音波発生部と、
を含み、
前記超音波の周波数は、前記第１電極および前記第２電極を構成する電極材料、前記電極材料の酸化物、および前記放電媒質の少なくとも１つを揺動させる周波数である、ことを特徴とする光源装置。
【請求項２】
前記超音波発生部は、前記放電灯の点灯時に前記超音波を照射する、ことを特徴とする請求項１に記載の光源装置。
【請求項３】
前記放電媒質は、水銀を含む、ことを特徴とする請求項１または２に記載の光源装置。
【請求項４】
前記放電媒質は、臭化物を含み、
前記超音波の周波数は、前記臭化物を揺動させる周波数を含む、ことを特徴とする請求項１ないし３のいずれか１項に記載の光源装置。
【請求項５】
前記超音波の周波数は、１０ｋＨｚ以上１０ＭＨｚ以下である、ことを特徴とする請求項１ないし４のいずれか１項に記載の光源装置。
【請求項６】
請求項１ないし５のいずれか１項に記載の光源装置と、
前記光源装置から射出された光を画像情報に応じて変調する光変調装置と、
前記光変調装置によって形成された画像を投射する投射装置と、
を含む、ことを特徴とするプロジェクター。
【発明の詳細な説明】
【技術分野】
【０００１】
本発明は、光源装置およびプロジェクターに関する。
【背景技術】
【０００２】
プロジェクターなどの光源として、超高圧水銀ランプやメタルハライドランプなどの放電灯（放電ランプ）が用いられている。例えば、特許文献１には、プロジェクターの光源として、放電灯を備えた光源装置が開示されている。
【０００３】
放電灯は、一般的に、放電媒質が封入された放電空間を有する発光管と、先端が放電空間に配置された一対の電極と、発光管から射出した光を反射させるリフレクターと、を含んで構成されている。
【先行技術文献】
【特許文献】
【０００４】
【特許文献１】特開２０１０−３４８９号公報
【発明の概要】
【発明が解決しようとする課題】
【０００５】
このような放電灯では、点灯時に電極先端が蒸発して発光管の内壁に付着し、発光管が黒化する黒化現象が起こる場合がある。発光管が黒化すると、放電空間で発生する光が遮られるため、照度の低下が生じ、装置の寿命が短くなるという問題があった。
【０００６】
本発明のいくつかの態様に係る目的の１つは、発光管の黒化を抑制できる光源装置を提供することにある。また、本発明のいくつかの態様に係る目的の１つは、上述の光源装置を含むプロジェクターを提供することにある。
【課題を解決するための手段】
【０００７】
本発明に係る光源装置は、
放電媒質が封入された放電空間を有する発光管、第１電極、および第２電極を有する放電灯と、
前記第１電極および前記第２電極に交流電流を供給し、前記放電灯を駆動する放電灯駆動部と、
前記放電空間に超音波を照射する超音波発生部と、
を含み、
前記超音波の周波数は、前記第１電極および前記第２電極を構成する電極材料、前記電極材料の酸化物、および前記放電媒質の少なくとも１つを揺動させる周波数である。
【０００８】
このような光源装置によれば、超音波発生部が放電空間に超音波を照射することにより、第１電極および第２電極を構成する電極材料、電極材料の酸化物、および放電媒質の少なくとも１つを揺動させることができる。これにより、第１電極および第２電極から蒸発した電極材料が発光管の内壁に付着しづらくなるため、発光管の黒化を抑制することができる。
【０００９】
本発明に係る光源装置において、
前記超音波発生部は、前記放電灯の点灯時に前記超音波を照射してもよい。
【００１０】
このような光源装置によれば、効率よくハロゲンサイクルを活性化させることができる。
【００１１】
本発明に係る光源装置において、
前記放電媒質は、水銀を含んでいてもよい。
【００１２】
このような光源装置によれば、発光管の黒化を抑制することができる。
【００１３】
本発明に係る光源装置において、
前記放電媒質は、臭化物を含み、
前記超音波の周波数は、前記臭化物を揺動させる周波数であってもよい。
【００１４】
このような光源装置によれば、ハロゲンサイクルを活性化させることができるため、より発光管の黒化を抑制することができる。
【００１５】
本発明に係る光源装置において、
前記超音波の周波数は、１０ｋＨｚ以上１０ＭＨｚ以下であってもよい。
【００１６】
このような光源装置によれば、発光管の黒化を抑制することができる。
【００１７】
本発明に係るプロジェクターは、
本発明に係る光源装置と、
前記光源装置から射出された光を画像情報に応じて変調する光変調装置と、
前記光変調装置によって形成された画像を投射する投射装置と、
を含む。
【００１８】
このようなプロジェクターによれば、本発明に係る光源装置を有するため、長寿命化を図ることができる。
【図面の簡単な説明】
【００１９】
【図１】第１実施形態に係る光源装置を説明するための図。
【図２】第１実施形態に係る光源装置の放電灯駆動装置の構成を示すブロック図。
【図３】第２実施形態に係るプロジェクターを模式的に示す図。
【発明を実施するための形態】
【００２０】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２１】
１．  第１実施形態
１．１．  光源装置の構成
まず、第１実施形態に係る光源装置の構成について、図面を参照しながら説明する。図１は、第１実施形態に係る光源装置１００を説明するための図である。なお、図１には、放電灯１０およびリフレクター４０の断面図が示されている。
【００２２】
光源装置１００は、図１に示すように、放電灯１０と、放電灯駆動装置（放電灯駆動部）２０と、超音波発生装置（超音波発生部）３０と、を含む。光源装置１００は、さらに、リフレクター４０を含むことができる。
【００２３】
放電灯１０は、図１に示すように、発光管１２と、放電空間１４と、第１電極１６と、第２電極１８と、を有している。
【００２４】
発光管１２の形状は、第１端部２から第２端部４まで、照射方向Ｄに沿って延びる棒形状である。すなわち、発光管１２の中心軸ＡＸは、照射方向Ｄに沿って延びている。発光管１２の材質は、例えば、石英ガラス等の透光性材料である。発光管１２の中央部は球状に膨らんでおり、その内には、放電空間１４が形成されている。放電空間１４内には、水銀、金属ハロゲン化合物等の発光物質と、希ガス、ハロゲンガス等の気体と、が封入されている。これらは、後述の第１電極１６と第２電極１８との間に放電を発生させるための放電媒質である。
【００２５】
第１電極１６は、発光管１２の第１端部２側に配置され、第２電極１８は、発光管１２の第２端部４側に配置されている。これらの電極１６，１８の形状は、発光管１２の中心軸ＡＸに沿って延びる棒形状である。また、放電空間１４内には、２つの電極１６，１８が、発光管１２から突き出している。放電空間１４内では、各電極１６，１８の先端部（放電端）１６ａ，１８ａが、所定距離だけ離れて向かい合って配置されている。なお、これらの電極１６，１８の材質は、例えば、タングステン等の金属である。
【００２６】
第１電極１６および第２電極１８は、放電灯駆動装置２０に接続されている。放電灯駆動装置２０は、これらの電極１６，１８に、交流電流を供給する。その結果、２つの電極１６，１８の間でアーク放電が起きる。アーク放電により発生した光（放電光）は、２つの電極１６，１８の間の放電位置から全方向に向かって放射される。放電灯１０は、例えば、超高圧水銀ランプ、メタルハライドランプ、キセノンランプ等のアーク放電型の放電灯である。
【００２７】
放電灯１０の第１端部２には、リフレクター４０が固定されている。リフレクター４０の反射面（放電灯１０側の面）の形状は、例えば、回転楕円形状である。リフレクター４０は、放電光を照射方向Ｄに向かって反射する。なお、リフレクター４０の反射面の形状としては、回転楕円形状に限らず、放電光を照射方向Ｄに向かって反射するような種々の形状を採用可能である。例えば、リフレクター４０の反射面の形状として、回転放物線形状を採用してもよい。この場合、リフレクター４０は、放電光を、発光管１２の中心軸ＡＸに沿った光に変換することができる。
【００２８】
放電灯駆動装置（放電灯駆動部）２０は、電極１６，１８に交流電流を供給し、放電灯１０を駆動する。
【００２９】
図２は、放電灯駆動装置２０の構成を示すブロック図である。放電灯駆動装置２０は、図２に示すように、電力制御部２２と、極性反転部２４と、制御部２６と、を有している。
【００３０】
電力制御部２２は、放電灯１０に供給する駆動電力を生成する。電力制御部２２は、例えば、直流電源５０を入力とし、この直流電源５０の入力電圧を降圧して直流電流Ｉｄを出力するダウンチョッパー回路を含んで構成されている。
【００３１】
極性反転部２４は、電力制御部２２から出力される直流電流Ｉｄを入力し、所与のタイミングで極性反転することにより、任意の周波数をもつ交流電流Ｉを生成出力する。この交流電流Ｉが、図１に示す放電灯１０の電極１６，１８に供給される。交流電流Ｉの波形は、例えば、正弦波である。なお、交流電流Ｉは、時間とともに周期的に大きさと向きが変化する電流であればその波形は限定されず、例えば、矩形波、三角波であってもよい。極性反転部２４は例えば、インバーターブリッジ回路（フルブリッジ回路）を含んで構成されている。
【００３２】
制御部２６は、電力制御部２２および極性反転部２４を制御することにより、交流電流Ｉの電流値、周波数等を制御する。制御部２６は、電力制御部２２に対して、直流電流Ｉｄの電流値を制御する電流制御を行う。また、制御部２６は、極性反転部２４に対して、交流電流Ｉの極性反転のタイミングにより、交流電流Ｉの周波数等を制御する極性反転制御を行う。
【００３３】
また、制御部２６は、放電灯１０の点灯を指示する点灯命令や、放電灯１０の消灯を指示する消灯命令を受け付けてもよい。
【００３４】
制御部２６は、専用回路により実現して上述した制御を行うようにしてもよい。また、制御部２６は、ＣＰＵ（Central Processing Unit）が記憶部等に記憶された制御プログラムを実行することによりコンピューターとして機能し、これらの処理の各種制御を行うようにしてもよい。すなわち、制御部２６は、制御プログラムにより、電力制御部２２を制御する電流制御手段、極性反転部２４を制御する極性反転制御手段として機能するように構成してもよい。
【００３５】
超音波発生装置（超音波発生部）３０は、発光管１２の放電空間１４に超音波Ｗを照射する。この超音波Ｗの周波数は、第１電極１６および第２電極１８を構成する電極材料、当該電極材料の酸化物、および放電空間１４に封入された放電媒質の少なくとも１つを揺動させる周波数である。具体的には、超音波Ｗの周波数は、例えば、１０ｋＨｚ以上１０ＭＨｚ以下である。
【００３６】
第１電極１６および第２電極１８を構成する電極材料としては、例えば、タングステンが挙げられる。したがって、超音波Ｗの周波数は、例えば、タングステンを揺動させる周波数である。また、電極材料の酸化物としては、例えば、酸化タングステンが挙げられる。したがって、超音波Ｗの周波数は、例えば、酸化タングステンを揺動させる周波数である。また、放電媒質としては、例えば、水銀が挙げられる。したがって、超音波Ｗの周波数は、例えば、水銀を揺動させる周波数である。超音波発生装置３０は、これらの周波数をすべて含んだ超音波Ｗを照射してもよいし、これらの周波数のうちいずれか１つを有する超音波Ｗを照射してもよい。
【００３７】
超音波発生装置３０は、放電灯１０の点灯時に超音波Ｗを放電空間１４に照射する。超音波発生装置３０は、単一の周波数を有する超音波を照射してもよいし、複数の異なる周波数を有する超音波を照射してもよい。超音波発生装置３０は、図１に示すように、リフレクター４０の外側に配置されている。なお、超音波発生装置３０は、超音波Ｗを放電空間１４に照射できれば、その位置は特に限定されない。また、超音波発生装置３０は、図示の例では、１つだが、複数設けられていてもよい。
【００３８】
１．２．  光源装置の動作
次に、光源装置１００の動作について、図１および図２を用いて説明する。
【００３９】
光源装置１００では、放電灯駆動装置２０によって放電灯１０の電極１６，１８に交流電流Ｉを供給し、放電灯１０を駆動させる。これにより、電極１６，１８間でアーク放電が起き、放電灯１０が点灯する。電極１６，１８に交流電流Ｉを供給することによって、各電極１６，１８の極性を繰り返し交替させることができる。これにより、一方の電極の温度が、他方の電極の温度と比べて、高い状態が続くことを抑制することができる。アーク放電により発生した光（放電光）は、２つの電極１６，１８の間の放電位置から全方位に向かって放射される。この放電光は、リフレクター４０で反射され、照射方向Ｄに向かって進行する。
【００４０】
ここで、電極１６，１８は、交流電流Ｉが供給されると高温になり、電極１６，１８を構成する電極材料（例えばタングステン）が蒸発する。蒸発した電極材料は、ハロゲンサイクルにより再び電極１６，１８に戻る。具体的には、蒸発した電極材料は、放電空間１４内のハロゲンガス（例えば臭素）と結合し、ハロゲン化合物（例えば臭化タングステン）を形成する。このハロゲン化合物は、電極１６，１８近傍において、電極材料とハロゲンガスとに分離する。そして、分離した電極材料は電極１６，１８に戻り、ハロゲンガスは再び同じ反応を繰り返す。このハロゲンサイクルによって、電極１６，１８の劣化および発光管１２の黒化を抑制することができる。
【００４１】
超音波発生装置３０は、放電灯１０の点灯時に、超音波Ｗを放電空間１４に照射する。超音波発生装置３０は、例えば、放電灯１０が点灯したことを示す制御信号を受けて超音波Ｗを照射する。この制御信号は、放電灯駆動装置２０の制御部２６が出力してもよいし、放電灯１０が点灯したことを感知するセンサー（図示しない）が出力してもよい。
【００４２】
超音波Ｗが放電空間１４に照射されると、蒸発した電極材料、蒸発した電極材料が放電空間１４内で酸素と結合して形成された電極材料の酸化物、および放電媒質（例えば水銀）の少なくとも１つが揺動する。これにより、蒸発した電極材料や電極の酸化物が発光管１２の内壁に付着しづらくなる。また、蒸発した電極材料、電極材料の酸化物、および放電媒質の少なくとも１つを揺動させることにより、電極材料とハロゲンガスとの結合が促進されるため、ハロゲンサイクルを活性化させることができる。
【００４３】
光源装置１００は、例えば、以下の特徴を有する。
【００４４】
光源装置１００では、超音波発生装置３０が、発光管１２の放電空間１４に超音波Ｗを照射する。この超音波Ｗの周波数は、電極１６，１８を構成する電極材料、当該電極材料の酸化物、および放電空間１４に封入された放電媒質の少なくとも１つを揺動させる周波数である。これにより、発光管１２の黒化を抑制することができる。以下、詳細に説明する。
【００４５】
例えば、超音波発生装置を有していない光源装置の放電灯では、点灯時に電極先端が蒸発し、この蒸発した電極材料が発光管の内壁に付着して発光管が黒化する黒化現象が起こる場合があった。発光管が黒化すると、寿命が短くなる、出力が低下するなどの問題が生じる。光源装置１００では、超音波発生装置３０によって超音波Ｗを照射することにより、電極１６，１８を構成する電極材料、当該電極材料の酸化物、および放電媒質の少なくとも１つを揺動させることができる。これにより、蒸発した電極材料や当該電極材料の酸化物が発光管１２の内壁に付着しづらくなる。したがって、光源装置１００によれば、発光管１２の黒化を抑制することができ、装置の長寿命化および高出力化を図ることができる。
【００４６】
さらに、光源装置１００によれば、電極１６，１８を構成する電極材料、当該電極材料の酸化物、および放電媒質の少なくとも１つを揺動させることができるため、ハロゲンサイクルを活性化させることができる。したがって、より発光管１２の黒化を抑制することができる。上述したように、放電空間１４において、電極１６，１８から蒸発した電極材料は、ハロゲンサイクルによって再び電極１６，１８に戻る。蒸発した電極材料、当該電極材料の酸化物、および放電媒質の少なくとも１つを揺動させることにより、蒸発した電極材料とハロゲンガス（例えば臭素）との結合を促進させることができる。これにより、ハロゲンサイクルを活性化させることができる。したがって、発光管１２の黒化を抑制することができる。
【００４７】
また、光源装置１００では、超音波発生装置３０が、放電灯１０の点灯時に超音波Ｗを照射する。ハロゲンサイクルは、放電灯１０の点灯時に起こるため、放電灯１０の点灯時に超音波Ｗを照射することにより、効率よくハロゲンサイクルを活性化させることができる。
【００４８】
また、光源装置１００では、発光管１２の黒化を抑制できるため、例えば、発光管の黒化を抑制するために放電灯を高周波駆動させる必要がない。放電灯を高周波駆動させると、放電灯に音響共鳴現象による超音波が生じ、蒸発した電極材料を揺動させることができる。これにより、発光管の黒化を抑制できる。しかしながら、放電灯を高周波駆動させるためには、放電灯駆動装置を高周波化しなければならないため、コストがかかる場合がある。光源装置１００では、超音波発生装置３０を高周波化することなく発光管１２の黒化を抑制することができる。そのため、低コスト化を図ることができる。
【００４９】
光源装置１００では、超音波Ｗの周波数は、例えば、１０ｋＨｚ以上１０ＭＨｚ以下である。この１０ｋＨｚ以上１０ＭＨｚ以下の周波数は、音響共鳴効果により生じる超音波と同帯域の周波数である。したがって、発光管１２の黒化を抑制することができる。
【００５０】
１．３．  光源装置の変形例
次に、本実施形態の変形例に係る光源装置について説明する。以下、本実施形態の変形例に係る光源装置において、本実施形態に係る光源装置１００の例と異なる点について説明し、同様の点については説明を省略する。
【００５１】
上述した光源装置１００の例では、放電媒質として、水銀を例示したが、本変形例では、放電媒質はこれに限定されず、例えば、臭化物を含む。そして、超音波発生装置３０が照射する超音波Ｗの周波数は、臭化物を揺動させる周波数を含む。放電媒質に含まれる臭化物としては、例えば、臭化水素が挙げられる。なお、放電媒質は、臭化物に限定されず、例えば、ハロゲンであってもよい。そして、超音波Ｗの周波数は、ハロゲンを揺動させる周波数を含んでいてもよい。
【００５２】
本変形例によれば、ハロゲンサイクルを活性化させることができる。上述したように、放電空間１４において、電極１６，１８から蒸発した電極材料は、ハロゲンサイクルにより再び電極１６，１８に戻る。臭化物（ハロゲンガス）を揺動させることにより、蒸発した電極材料と臭化物との結合を促進させることができる。これにより、ハロゲンサイクルを活性化させることができる。したがって、発光管１２の黒化を抑制することができる。
【００５３】
２．  第２実施形態
次に、本実施形態に係るプロジェクター１０００について、図面を参照しながら説明する。図３は、プロジェクター１０００を模式的に示す図である。なお、図３では、便宜上、放電灯駆動装置２０、超音波発生装置３０、およびプロジェクター１０００を構成する筐体の図示は省略している。
【００５４】
プロジェクター１０００は、スクリーン（図示しない）へ光を投射し、スクリーンで反射する光を観察することで画像を鑑賞するフロント投射型のプロジェクターである。
【００５５】
プロジェクター１０００は、図３に示すように、光源装置１００と、平行化レンズ１０２と、照明光学系１１０と、色分離光学系１２０と、３つの光変調装置１３０Ｒ、１３０Ｇ、１３０Ｂと、クロスダイクロイックプリズム１４０と、投射レンズ（投射装置）１５０とを有している。
【００５６】
プロジェクター１０００は、本発明に係る光源装置（例えば、光源装置１００）を有する。光源装置１００は、赤色（Ｒ）光、緑色（Ｇ）光、青色（Ｂ）光を含む光を射出する。光源装置１００からの光は、平行化レンズ１０２を通過して照明光学系１１０に入射する。この平行化レンズ１０２は、光源装置１００からの光を、平行化する。平行化レンズ１０２は、例えば、凹レンズである。
【００５７】
照明光学系１１０は、光源装置１００からの光の照度を光変調装置１３０Ｒ，１３０Ｇ，１３０Ｂにおいて均一化する。また、照明光学系１１０は、光源装置１００からの光の偏光方向を一方向に揃える。この理由は、光源装置１００からの光を光変調装置１３０Ｒ，１３０Ｇ，１３０Ｂで有効に利用するためである。
【００５８】
照明光学系１１０は、第１インテグレータレンズ１１２と、第２インテグレータレンズ１１４と、偏光変換素子１１６と、重畳レンズ１１８と、を有している。
【００５９】
第１インテグレータレンズ１１２および第２インテグレータレンズ１１４は、アレイ状に配列された複数のレンズ素子を有する。第１インテグレータレンズ１１２は、平行化レンズ１０２からの光束を複数に分割する。第１インテグレータレンズ１１２の各レンズ素子は、平行化レンズ１０２からの光束を第２インテグレータレンズ１１４のレンズ素子近傍で集光させる。第２インテグレータレンズ１１４のレンズ素子は、第１インテグレータレンズ１１２のレンズ素子の像を光変調装置上に形成する。
【００６０】
２つのインテグレータレンズ１１２，１１４を経た光は、偏光変換素子１１６で特定の振動方向の直線偏光に変換される。重畳レンズ１１８は、第１インテグレータレンズ１１２の各レンズ素子の像を光変調装置上で重畳させる。第１インテグレータレンズ１１２、第２インテグレータレンズ１１４、および重畳レンズ１１８は、光源装置１００からの光の強度分布を光変調装置上で均一化させる。重畳レンズ１１８からの光は、色分離光学系１２０（第１ダイクロイックミラー１２１）に入射する。
【００６１】
色分離光学系１２０は、入射光を、赤（Ｒ）、緑（Ｇ）、青（Ｂ）の３つの色光に分離する。色分離光学系１２０は、第１ダイクロイックミラー１２１と、反射ミラー１２２，１２６，１２８と、フィールドレンズ１２３Ｒ，１２３Ｇ，１２３Ｂと、第２ダイクロイックミラー１２４と、リレーレンズ１２５，１２７と、を有している。
【００６２】
第１ダイクロイックミラー１２１は、Ｒ光を反射し、Ｇ光およびＢ光を透過させる。第１ダイクロイックミラー１２１へ入射したＲ光は、第１ダイクロイックミラー１２１および反射ミラー１２２における反射により光路が折り曲げられ、Ｒ光用フィールドレンズ１２３Ｒへ入射する。Ｒ光用フィールドレンズ１２３Ｒは、反射ミラー１２２からのＲ光を平行化し、Ｒ光用光変調装置１３０Ｒへ入射させる。
【００６３】
第１ダイクロイックミラー１２１を透過したＧ光およびＢ光は、第２ダイクロイックミラー１２４へ入射する。第２ダイクロイックミラー１２４は、Ｇ光を反射し、Ｂ光を透過させる。第２ダイクロイックミラー１２４へ入射したＧ光は、第２ダイクロイックミラー１２４での反射により光路が折り曲げられ、Ｇ光用フィールドレンズ１２３Ｇへ入射する。Ｇ光用フィールドレンズ１２３Ｇは、第２ダイクロイックミラー１２４からのＧ光を平行化し、Ｇ光用光変調装置１３０Ｇへ入射させる。
【００６４】
第２ダイクロイックミラー１２４を透過したＢ光は、リレーレンズ１２５を透過した後、反射ミラー１２６での反射により光路が折り曲げられる。反射ミラー１２６からのＢ光は、さらにリレーレンズ１２７を透過した後、反射ミラー１２８での反射により光路が折り曲げられ、Ｂ光用フィールドレンズ１２３Ｂへ入射する。Ｒ光の光路およびＧ光の光路よりもＢ光の光路が長いことから、光変調装置における照明倍率を他の色光と等しくするために、Ｂ光の光路には、リレーレンズ１２５，１２７を用いるリレー光学系が採用されている。
【００６５】
Ｒ光用光変調装置１３０Ｒは、Ｒ光を画像情報に応じて変調する空間光変調装置であって、透過型液晶表示装置である。Ｒ光用光変調装置１３０Ｒに設けられた液晶パネルは、２つの透明基板の間に、光を画像情報に応じて変調するための液晶層を封入している。Ｒ光用光変調装置１３０Ｒで変調されたＲ光は、色合成光学系であるクロスダイクロイックプリズム１４０へ入射する。
【００６６】
Ｇ光用光変調装置１３０Ｇは、Ｇ光を画像情報に応じて変調する空間光変調装置であって、透過型液晶表示装置である。Ｇ光用光変調装置１３０Ｇで変調されたＧ光は、クロスダイクロイックプリズム１４０のうちＲ光が入射する面とは異なる面へ入射する。
【００６７】
Ｂ光用光変調装置１３０Ｂは、Ｂ光を画像情報に応じて変調する空間光変調装置であって、透過型液晶表示装置である。Ｂ光用光変調装置１３０Ｂで変調されたＢ光は、クロスダイクロイックプリズム１４０のうちＲ光が入射する面、Ｇ光が入射する面とは異なる面へ入射する。
【００６８】
クロスダイクロイックプリズム１４０は、互いに略直交する２つのダイクロイック膜１４２，１４４を有する。第１ダイクロイック膜１４２は、Ｒ光を反射し、Ｇ光およびＢ光を透過させる。第２ダイクロイック膜１４４は、Ｂ光を反射し、Ｒ光およびＧ光を透過させる。クロスダイクロイックプリズム１４０は、それぞれ異なる方向から入射したＲ光、Ｇ光およびＢ光を合成し、投射レンズ１５０の方向へ射出する。投射レンズ１５０は、クロスダイクロイックプリズム１４０で合成された光をスクリーンの方向へ投射する。
【００６９】
プロジェクター１０００によれば、光源装置１００を有するため、発光管１２（図１参照）の黒化を抑制でき、長寿命化を図ることができる。
【００７０】
なお、プロジェクター１０００は、光変調装置として透過型液晶表示装置を用いる場合に限られない。光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いてもよい。プロジェクター１０００は、色光ごとに光変調装置を備える構成に限られない。プロジェクター１０００は、１つの光変調装置により２つまたは３つ以上の色光を変調する構成としてもよい。プロジェクター１０００は、光変調装置を用いる場合に限られない。プロジェクター１０００は、画像情報を持たせたスライドを用いるスライドプロジェクターであってもよい。
【００７１】
なお、上述した実施形態及び変形例は一例であって、これらに限定されるわけではない。例えば各実施形態及び各変形例は、複数を適宜組み合わせることが可能である。
【００７２】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７３】
Ｗ  超音波、ＡＸ  中心軸、Ｄ  照射方向、２  第１端部、４  第２端部、
１０  放電灯、１２  発光管、１４  放電空間、１６  第１電極、１６ａ  先端部、
１８  第２電極、１８ａ  先端部、２０  放電灯駆動装置、２２  電力制御部、
２４  極性反転部、２６  制御部、３０  超音波発生装置、４０  リフレクター、
５０  直流電源、１００  光源装置、１０２  平行化レンズ、１１０  照明光学系、
１１２  第１インテグレータレンズ、１１４  第２インテグレータレンズ、
１１６  偏光変換素子、１１８  重畳レンズ、１２０  色分離光学系、
１２１  第１ダイクロイックミラー、１２２，１２６，１２８  反射ミラー、
１２３Ｒ  Ｒ光用フィールドレンズ、１２３Ｇ  Ｇ光用フィールドレンズ、
１２３Ｂ  Ｂ光用フィールドレンズ、１２４  第２ダイクロイックミラー、
１２５，１２７  リレーレンズ、１３０Ｒ  Ｒ光用光変調装置、
１３０Ｇ  Ｇ光用光変調装置、１３０Ｂ  Ｂ光用光変調装置、
１４０  クロスダイクロイックプリズム、１４２  第１ダイクロイック膜、
１４４  第２ダイクロイック膜、１５０  投射レンズ、１０００  プロジェクター
【図１】
2012221724.tif 000003
【図２】
2012221724.tif 000004
【図３】
2012221724.tif 000005